(57)【特許請求の範囲】
【請求項１】
歯ブラシを載置保持することができるようにコップ上端部と共に取っ手上部をも利用して少なくとも１対の切り込み溝を設け、コップに入れた水などを口中に含む際にむせ込みや誤嚥を予防するために飲み口を取っ手を利用して左右どちらの手で保持しても使用し易いようにコップ縁に２個以上設けていることを特徴とする片手操作で歯ブラシに歯磨き剤を付着することができる特殊形状とされた歯磨きコップ。
【発明の詳細な説明】
【技術分野】
【０００１】  この発明は、片麻痺等を持つ片手が不自由な障害者や高齢者が使用する特殊形状とされた歯磨きコップに関するものである。
【背景技術】
【０００２】  片麻痺障害者は片手で歯磨き粉を歯ブラシに付着させることに非常に困難を感じ、歯磨き粉を付着できても歯ブラシが不安定なため何度もこぼれてしまうことが多い。また、コップの水でうがい等する際にむせこみや誤嚥をする危険性も高いなど、いずれにしても歯磨き時においても介護者の手助けを受けなければならない状況が多い。このような状況を改善するために歯ブラシ保持機能を備えたコップが下記のように提案されている。
【特許文献１】
【発明の開示】
【発明が解決しようとする課題】
【０００３】  しかしながら、以上の技術によれば片麻痺等で片手が不自由な人がなかなか歯ブラシに歯磨き粉を付着できず、介助者の助けを必要とすることが大半で、口をすすぐ際むせこみや誤嚥が多々あり、水を口に含む際も麻痺側の口元より水こぼしが多々あった。
そこで、この発明はコップに歯ブラシを落ちにくく固定し、左用右用の飲み口を設けることでむせこみや誤嚥を防ぐため左右どちらかの片手が不自由な人にも提供することを課題とする。
上記特許文献１はこのような課題を解消するための１提案であるが、実際には操作性において不便を感じる点が残されていた。
【課題を解決するための手段】
【０００４】  以上の課題を解決するために、発明者は研究を重ねて本発明に想到したものであって、左右どちらの片手のみを使用するものであっても自在に歯磨き動作やうがいを安全且つ確実に行うことができる補助機能を備えた特殊コップを提案するものであり、具体的には以下の如くである。【０００５】（１）  歯ブラシを載置保持することができるようにコップ上端部と共に取っ手上部をも利用して少なくとも１対の切り込み溝を設け、コップに入れた水などを口中に含む際にむせ込みや誤嚥を予防するために飲み口を取っ手を利用して左右どちらの手で保持しても使用し易いようにコップ縁に２個以上設けていることを特徴とする片手操作で歯ブラシに歯磨き剤を付着することができる特殊形状とされた歯磨きコップ。
【発明の効果】
【０００９】  歯ブラシを載置保持することができるようにコップ上端縁部に少なくとも１対の切り込み溝を設けていることで、コップ上端縁部に歯ブラシを差し渡しして載置保持することができるようになり、この状態であれば片手操作であっても歯磨き剤を歯ブラシ部分に簡単且つ確実に付着させることができるようになる。【００１０】  コップ上端縁部と共に取っ手上部をも利用して歯ブラシ載置保持用の切り込み溝を設けていることで、取っ手付きコップの場合にその取っ手上部を利用した歯ブラシの載置が可能となるので、取っ手を利用してコップを保持する場合でも載置した歯ブラシが邪魔になり難い。【００１１】  コップに入れた水などを口中に含む際にむせ込みや誤嚥を予防するために飲み口を設けていることで、うがい等のために利用者が口中に含ませる水の量や流し込む場所を適切にコントロールすることができるので、予想外の量の水を飲んだり、想定場所とはずれた場所からの流し込みに起因するむせ込みや誤嚥、麻痺後遺症側口元からの水こぼしなどを有効に防ぐことが可能となる。【００１２】  取っ手を利用して左右どちらの手で保持しても使用し易いようにコップ縁に飲み口を２個以上設けていることで、左右どちらの手を使ってコップを持つ場合であっても使いやすい飲み口を利用することが簡単にできるようになる。【００１３】  つまり、本発明の第一の特徴は、コップの縁に切り込みを入れ、取っ手に溝を掘ること、左用右用に飲み口を設けたことで、片手が不自由な障害者用歯磨き用特殊コップを実現したことにある。
また、第二の特徴は、歯ブラシの首が動かぬようにコップの縁に切込みを入れることで、歯ブラシの首が動きにくくされたことにある。
第三の特徴は、コップの取っ手に溝を掘ることで歯ブラシの柄が不安定になることを解決したことである。
第四の特徴は、コップの縁に左用右用の飲み口を設けてむせこみや誤嚥、麻痺側の口元からの水こぼしを防ぐことにある。【００１４】  第一の特徴または第二の特徴によれば、歯ブラシの首がクルリと回らない。
第三の特徴によれば、歯ブラシの柄が安定するので歯ブラシには磨き粉を付着させやすく左右どちらかの片手が不自由な障害者でも歯磨き粉をこぼさずに歯ブラシを持ち上げ歯磨き動作が簡単に楽に出来る。
第四の特徴によれば、歯磨き動作後、水を含む際にむせこみや誤嚥、麻痺側口元からの水こぼしを防止する。
【発明を実施するための最良の形態】
【００１５】  この発明の具体的な実施形態の若干例を以下添付図面により示す。
図１〜図７は、本発明の特殊コップ１についての代表的１形状を正面図、平面図、側面図、底面図、背面図、斜視図、部分断面図として表したものである。図示のものは、歯ブラシ２保持用の１対の切り込み溝３をコップ上端縁部４および取っ手５の上方に設け、飲み口６も左右どちらの手で取っ手５を持つ場合にも便利なように２個形成した場合に関して表現している。【００１６】  本発明のコップ１の本体は色々な素材により作成可能であるが、熱可塑性樹脂素材を利用することが望ましい。本体の上端縁４に切り込み部分３が設けられている。図示のものは、本体の側面に取っ手５が付いており、取っ手５にも溝３ａが掘ってある。その取っ手３の横左右に飲み口部分６、６が設けられている。【００１７】  また、図８〜図１１は、本発明コップ１の試作品についてその外観や使用状況を示した図面代用写真となっている。
これらによって、本発明コップ１はその上端縁４において歯ブラシ２を簡単且つ確実に保持することができ、その保持状態を利用すれば片手操作であっても容易に歯磨き剤７を歯ブラシ２に付着させることができると理解される。【００１８】  また、取っ手５を挟んで左右両側に設けられている飲み口６を利用すれば、コップ１の利用者がコップ内の水でうがい等しようとする際に流量や流し込み箇所を適宜に調整し易いことから、むせ込みや誤嚥、口元からの水こぼしが適切に防止され易いことが理解されるものである。【００１９】  すなわち、具体的にこの実施形態によれば、図８などに示すように、コップ１の縁４の切込み３で歯ブラシ２の首２Ａが固定され、取っ手５に溝３ａを掘ったことで歯ブラシ２の取っ手２Ｂが安定し、図９に示すように、歯磨き粉７を歯ブラシ２部分に楽に付着させ歯ブラシ２を持ち、らくらく歯磨き動作が出来る。図１０に示すように左用飲み口６Ａと右用飲み口６Ｂで水を含むことができ、むせこみ誤嚥の防止や麻痺側口元からの水こぼしが防止される。【００２０】  さらに、図１０、図１１に示すような飲み口６Ａ、６Ｂの形状サイズにすることで、口元への流し込み流量や流し込み箇所を容易に調整することができ、したがって、むせこみ誤嚥防止の効果及び麻痺側口元からの水こぼし防止の効果をたかめたことが理解される。
【産業上の利用可能性】
【００２１】  上記してきたような本発明によるときは、シンプルな構成でありながら片麻痺障害を有する者にとって非常に困難であった毎食後の歯磨き動作を介助者などの補助を受けずに自立的に行いことができるようになるものであって、諸施設における介助者等の負担を軽減すると共に障害者の自立支援をも具体的に行うことができる補助器具となっている。
したがって、本発明は、高齢化社会の進展等によって何らかの障害を負った人たちの絶対数が増加すると予想されるこれからの社会において、その必要性が重視される補助器具の１つとして継続的な需要が期待されると理解されるので、産業上の利用可能性において優れた発明であると解されるものである。
【図面の簡単な説明】
【００２１】
【図１】  本発明コップの１例についての正面図である。
【図２】  本発明コップの１例についての平面図である。
【図３】  本発明コップの１例についての側面図である。
【図４】  本発明コップの１例についての底面図である。
【図５】  本発明コップの１例についての背面図である。
【図６】  本発明コップの１例のついての斜視図である。
【図７】  本発明コップの１例についての部分断面図である。
【図８】  本発明コップの使用態様の１例を示す図面代用写真である。
【図９】  本発明コップの使用態様の別の例を示す図面代用写真である。
【図１０】  本発明コップの飲み口位置の例を示す図面代用写真である。
【図１１】  本発明コップの飲み口を実際に使用する状態を示す図面代用写真である。
【符号の説明】
【００２２】１    本発明コップ
２    歯ブラシ
２Ａ    歯ブラシの首部
２Ｂ    歯ブラシの柄部
３    切り込み溝
３ａ    取っ手上部切り込み溝
４    コップ上端縁部
５    取っ手
６    飲み口
６Ａ    左用飲み口
６Ｂ    右用飲み口
７    歯磨き剤
【図１】
0004453918.tif 000002
【図２】
0004453918.tif 000003
【図３】
0004453918.tif 000004
【図４】
0004453918.tif 000005
【図５】
0004453918.tif 000006
【図６】
0004453918.tif 000007
【図７】
0004453918.tif 000008
【図８】
0004453918.tif 000009
【図９】
0004453918.tif 000010
【図１０】
0004453918.tif 000011
【図１１】
0004453918.tif 000012